(57)【要約】【課題】分割されたパネル収容枠の結合した部分に間隙を生じないようにして、液晶表示装置の内部からの光の漏洩、外部からの塵埃の進入を防止した液晶表示装置を提供する。【解決手段】パネル収容枠短辺部材８に液晶パネル１の縁部を全長にわたり挟持する挟持用辺８２と液晶パネル１の長辺方向にその縁部から距離を置いて幅狭状張り出し部８３とを設け、幅狭状張り出し部８３の全体から垂下する幅広状片８４を設け、一方、パネル収容枠長辺部材９に液晶パネル１の縁部を全長にわたり挟持する挟持用片９２と幅広状片８４に重なる突出片９５とを設け、挟持用辺９２と一方の辺９１の一部とを残して切り欠かれ幅狭状張り出し部８３を避ける切り欠き９４を形成し、幅広状片８４と突出片９５に第１の固着部１６を設けてパネル収容枠短辺部材８とパネル収容枠長辺部材９とを結合して一体とする。【選択図】      図１
2004163514.tif 000002
【特許請求の範囲】
【請求項１】
液晶パネルと、バックライトと、裏面カバーと、Ｌ型断面に形成され一辺に前記液晶パネルの縁部を挟持する挟持用辺を有してなるパネル収容枠短辺部材とパネル収容枠長辺部材とに分割された前記液晶パネルを収容するためのパネル収容枠と、前記バックライトを収納するバックライト収容枠と、前記パネル収容枠短辺部材のＬ型断面を構成する一方の辺における両端より前記液晶パネルの長辺方向に張り出して設けた張り出し部と、前記張り出し部に垂下して設けた片と、前記パネル収容枠長辺部材のＬ型断面を構成する一方の辺における両端に前記張り出し部を避けるために形成された切り欠きと、前記パネル収容枠長辺部材のＬ型断面を構成する他方の辺における両端に前記片と重なるように設けた片と、前記片を重ねた状態で固着して前記パネル収容枠短辺部材と前記パネル収容枠長辺部材とを結合し一体化するための第１の固着部と、前記裏面カバー上に前記バックライトと前記液晶パネルとを重ねて載置した状態で前記パネル収容枠と当該裏面カバーとを固着するための第２の固着部とを備えた液晶表示装置において、
前記パネル収容枠短辺部材の一方の辺における両端より前記液晶パネルの長手方向への張り出しに前記液晶パネルの縁部から距離を置いて幅狭状に形成してなる幅狭状張り出し部を設け、前記幅狭状張り出し部にその全体から垂下する幅広状に形成した幅広状片を設け、前記パネル収容枠長辺部材の一方の辺における両端に前記挟持用辺と当該一方の辺の一部とを残して前記幅狭状張り出し部を避けるために形成された切り欠きを設け、前記幅広状片と前記突出片とに前記第１の固着部を設けてなることを特徴とする液晶表示装置。
【請求項２】
液晶パネルと、バックライトと、拡散板と、裏面カバーと、Ｌ型断面に形成され一辺に前記液晶パネルの縁部を挟持する挟持用辺を有してなるパネル収容枠短辺部材とパネル収容枠長辺部材とに分割された前記液晶パネルを収容するためのパネル収容枠と、前記バックライトを収納するバックライト収容枠と、前記パネル収容枠短辺部材のＬ型断面を構成する一方の辺における両端より前記液晶パネルの長辺方向に張り出して設けた張り出し部と、前記張り出し部に垂下して設けた片と、前記パネル収容枠長辺部材のＬ型断面を構成する一方の辺における両端に前記張り出し部を避けるために形成された切り欠きと、前記パネル収容枠長辺部材のＬ型断面を構成する他方の辺における両端に前記片と重なるように設けた片と、前記片を重ねた状態で固着して前記パネル収容枠短辺部材と前記パネル収容枠長辺部材とを結合し一体化するための第１の固着部と、前記裏面カバー上に前記バックライトと前記拡散板と前記液晶パネルとを重ねて載置した状態で前記パネル収容枠と当該裏面カバーとを固着するための第２の固着部とを備えた液晶表示装置において、
前記パネル収容枠短辺部材の一方の辺における両端より前記液晶パネルの長手方向への張り出しに前記液晶パネルの縁部から距離を置いて幅狭状に形成してなる幅狭状張り出し部を設け、前記幅狭状張り出し部にその全体から垂下する幅広状に形成した幅広状片を設け、前記パネル収容枠長辺部材の一方の辺における両端に前記挟持用辺と当該一方の辺の一部とを残して前記幅狭状張り出し部を避けるために形成された切り欠きを設け、前記幅広状片と前記突出片とに前記第１の固着部を設けてなることを特徴とする液晶表示装置。
【請求項３】
液晶パネルと、バックライトと、拡散板と、裏面カバーと、Ｌ型断面に形成され一辺に前記液晶パネルの縁部を挟持する挟持用辺を有してなるパネル収容枠短辺部材とパネル収容枠長辺部材とに分割された前記液晶パネルを収容するためのパネル収容枠と、前記バックライトを収納するバックライト収容枠と、前記パネル収容枠短辺部材のＬ型断面を構成する一方の辺における両端より前記液晶パネルの長辺方向に張り出して設けた張り出し部と、前記張り出し部に垂下して設けた片と、前記パネル収容枠長辺部材のＬ型断面を構成する一方の辺における両端に前記張り出し部を避けるために形成された切り欠きと、前記パネル収容枠長辺部材のＬ型断面を構成する他方の辺における両端に前記片と重なるように設けた片と、前記片を重ねた状態で固着して前記パネル収容枠短辺部材と前記パネル収容枠長辺部材とを結合し一体化するための第１の固着部と、前記裏面カバー上に前記バックライトと前記拡散板と前記液晶パネルとを重ねて載置した状態で前記パネル収容枠と当該裏面カバーとを固着するための第２の固着部とを備え、
前記パネル収容枠短辺部材の一方の辺における両端より前記液晶パネルの長手方向への張り出しに前記液晶パネルの縁部から距離を置いて幅狭状に形成してなる幅狭状張り出し部を設け、前記幅狭状張り出し部にその全体から垂下する幅広状に形成した幅広状片を設け、前記パネル収容枠長辺部材の一方の辺における両端に前記挟持用辺と当該一方の辺の一部とを残して前記幅狭状張り出し部を避けるために形成された切り欠きを設け、前記幅広状片と前記突出片とに前記第１の固着部を設けてなる液晶表示装置であって、
前記パネル収容枠短辺部材に沿って両端に膨出したコーナ部を有する中間部材が配され、前記幅広状片の縁が前記コーナ部に接近する位置まで張り出して形成されていることを特徴とする液晶表示装置。
【発明の詳細な説明】
【０００１】
【発明の属する技術分野】
本発明は、液晶表示装置に係り、特に、大画面に好適な液晶表示装置に関する。
【０００２】
【従来の技術】
従来のこの種表示装置としては、独立した横フレームと縦フレームを結合用のコーナ部材で結合して枠体を構成し、液晶パネルを横フレームと縦フレームの前面側に両面接着剤によって接着固定した技術が開示されている（例えば、特許文献１）。
【０００３】
このような表示装置では、結合用のコーナ部材を用意するためにコスト的に不利であり、また、横フレームと縦フレームとで枠体を組み立てた後に液晶パネルを両面接着剤で枠体に接着固定するので取り付け作業が面倒であるだけでなく、重量のある液晶パネルを安定に支持することが難しい。
【０００４】
本願の発明者らは、この従来技術を改良した液晶表示装置を先に開発した。そこで、以下においてこの先に開発した液晶表示装置を図５〜図８を用いて説明する。この液晶表示装置は、図５で示すように長方形の液晶パネル１をパネル収容枠２で囲うようにして収容している。図６は、図５で示された液晶表示装置を分解した状態を示すが、液晶パネル１は、一対のガラス基板１１間に液晶を封入してなるものであって、各ガラス基板１１の外面には偏光フィルム等の光学シート１２が積層されている。液晶パネル１の背面には拡散板３が配されている。拡散板３の後方にはバックライト４が配されている。このバックライト４は、液晶パネル１の長辺方向と平行に伸びた複数の蛍光ランプ４１と、この蛍光ランプ４１の光が拡散板３方向に有効に照射されるように設けた反射板４２とからなる。そして、これら複数の蛍光ランプ４１、反射板４２は、両端がバックライト収容枠５によって支持されている。バックライト４の後方には長方形の裏面カバー６が配されている。
【０００５】
パネル収容枠２は、液晶パネル１が大型であるので組み立ての容易性を図るため、パネル収容枠短辺部材１００とパネル収容枠長辺部材２００とに分割されている。そして、夫々はＬ型断面の金属板で形成されている。パネル収容枠短辺部材１００の内側には、強度を増するための樹脂製の中間部材７が沿うようにして配されている。
【０００６】
バックライト４、拡散板３、液晶パネル１は、順に裏面カバー６上に重ねられた状態でパネル収容枠２と裏面カバー６とを固着することにより一体化されている。
【０００７】
次に、この固着部分の詳細を図７、図８によって説明するが、図７は要部である固着部分を分解した状態を示し、図８はその固着状態を示す。
【０００８】
Ｌ型断面のパネル収容枠短辺部材１００には、そのＬ型断面を構成する一方の辺１０１に液晶パネル１の縁部を全長にわたり挟持する挟持用辺１０２が形成されている。そして、Ｌ型断面を構成する他方の辺１０３が裏面カバー６に至る程度に垂下されている。パネル収容枠短辺部材１００の両端には、一方の辺１０１から液晶パネル１の長辺方向に張り出した張り出し部１０４が形成され、これら張り出し部１０４の先端に垂下した片１０５が形成されている。Ｌ型断面をなしたパネル収容枠長辺部材２００には、そのＬ型断面を構成する一方の辺２０１に液晶パネル１の縁部を挟持する挟持用辺２０２が形成されている。そして、Ｌ型断面を構成する他方の辺２０３が液晶表示装置の側面を形成するように垂下されている。パネル収容枠長辺部材２００の一方の辺２０１の両端には、張り出し部１０４を避けるために挟持用辺２０２も除去した大きな切り欠き２０４が形成されている。パネル収容枠長辺部材２００の他方の辺２０３の両端には、片１０５と重なる片２０５が形成されている。
【０００９】
このように長さの短い方のパネル収容枠短辺部材１００側に、張り出し部１０４、片１０５のような曲げ加工部分を設けたのは、全体的に強度を保つ上で有利となるからである。
【００１０】
一方、中間枠７の両端には、若干、膨出した形状のコーナ部７１が設けられている。このコーナ部７１には、矩形状ガイド用突起７２と円柱状ガイド用突起７３とが形成されている。これに対し、パネル収容枠短辺部材１００の一方の辺１０１の両端には、矩形状ガイド用突起７２が挿入される矩形状開口１０６と、円柱状ガイド用突起７３が係合する係合用切欠き１０７とが形成されている。
【００１１】
この組み立て方法は、まず、図６、図７で示すように裏面カバー６上にバックライト４と拡散板３と液晶パネル１とを順に重ねた状態で中間部材７を液晶パネル１の短辺側に沿わせる。そして、パネル収容枠短辺部材１００を矢印Ｉで示す方向から液晶パネル１の短辺側に沿わせるが、矩形状開口１０６に矩形状ガイド用突起７２を挿入し、係合用切り欠き１０７に円柱状ガイド用突起７３を係合させて中間部材７と一体にする。一方、パネル収容枠長辺部材２００は矢印ＩＩで示
す方向から液晶パネル１の長辺側に沿わせる。その後、片１０５に形成したタップ孔１３と片２０５に形成した貫通孔１４と、これに挿通して螺合するネジ１５とからなる第１の固着部１６によってパネル収容枠短辺部材１００とパネル収容枠長辺部材２００とを端で固着して結合する。また、裏面カバー６の縁に形成したタップ孔１７とパネル収納枠短片部材１００、パネル収納枠長辺部材２００に形成した貫通孔１８とこれに挿通して螺合するネジ１９とからなる第２の固着部２０によってパネル収容枠２と裏面カバー６とを一体に固着する。
【００１２】
一体に組み立てられた液晶表示装置は、蛍光ランプ４１、制御回路（図示せず）等への電源供給、映像信号の供給を行って液晶パネル１上に映像を表示する。
【００１３】
このような大型画面の液晶表示装置は、重量が大きいため予め一体成型されたパネル収納枠では強度を保つことができず、上記先に開発した液晶表示装置のようにパネル収容枠短辺部材１００とパネル収容枠長辺部材２００とに４分割してこれを組み立てるという方法が取られている。そして、この液晶表示装置は、パネル収容枠短辺部材１００とパネル収容枠長辺部材２００とをネジ１５により直接に結合し、結合用のコーナ部材を省くようにしている。また、この結合の作業時に、液晶パネル１をそれぞれの挟持用辺１０２、２０２によってパネル収容枠２に固定されるので取り付け作業の困難性の改善と、安定した支持状態が得られる。
【００１４】
【特許文献１】
特開平１１−１４６３０５号公報
【００１５】
【発明が解決しようとする課題】
しかし、上述した先願の液晶表示装置は、パネル収容枠短辺部材１００とパネル長辺部材２００とを直接に結合するため、図８において部分Ａで示すようにパネル収納枠長辺部材２００の端と、パネル収容枠短辺部材１００の張り出し部１０４の先端との間に間隙が生じる。また部分Ｂで示すようにパネル収納枠長辺部材２００の端とコーナ部７１との間にも間隙が生ずる。そのために以下のような問題点がある。
【００１６】
第１に、液晶表示装置内の光が部分Ａ、Ｂの間隙から外部に漏れてしまう。この漏洩光は、その輝度、色彩等が画像のそれとは全く異なるため、画像を見ている利用者にとっては違和感を生じ気が散ってしまうという問題点があった。この漏洩光は、例え小さなものであっても画像を見る者にとっては気になるものである。
【００１７】
第２に、部分Ａ、Ｂから液晶表示装置内に塵埃が進入し、蛍光ランプ４１、反射板４２、拡散板５等に付着して品質の低下をもたらすだけでなく、電気回路部分に付着して故障の原因になる等の問題点があった。
【００１８】
勿論、パネル収容枠短辺部材１００、パネル収容枠長辺部材２００の寸法を高精度にして間隙をなくすようにすることも考えられるが、長い部材を高精度に加工して仕上げることはコスト的に不可能である。
【００１９】
そこで、本発明は、上記の問題点に鑑みてなされたものであり、コストをかけることなく液晶表示装置内の光がパネル収納枠短辺部材とパネル収容枠長辺部材との結合部分で光が漏洩しないようにした液晶表示装置を提供することを目的とする。
【００２０】
【課題を解決するための手段】
上記目的を達成するため、本発明による液晶表示装置は、液晶パネルと、バックライトと、拡散板と、裏面カバーと、Ｌ型断面に形成され一辺に前記液晶パネルの縁部を挟持する挟持用辺を有してなるパネル収容枠短辺部材とパネル収容枠長辺部材とに分割された前記液晶パネルを収容するためのパネル収容枠と、前記バックライトを収納するバックライト収容枠と、前記パネル収容枠短辺部材のＬ型断面を構成する一方の辺における両端より前記液晶パネルの長辺方向に張り出して設けた張り出し部と、前記張り出し部に垂下して設けた片と、前記パネル収容枠長辺部材のＬ型断面を構成する一方の辺における両端に前記張り出し部を避けるために形成された切り欠きと、前記パネル収容枠長辺部材のＬ型断面を構成する他方の辺における両端に前記片と重なるように設けた片と、前記片を重ねた状態で固着して前記パネル収容枠短辺部材と前記パネル収容枠長辺部材とを結合し一体化するための第１の固着部と、前記裏面カバー上に前記バックライトと前記拡散板と前記液晶パネルとを重ねて載置した状態で前記パネル収容枠と当該裏面カバーとを固着するための第２の固着部とを備えた液晶表示装置において、前記パネル収容枠短辺部材の一方の辺における両端より前記液晶パネルの長手方向への張り出しに前記液晶パネルの縁部から距離を置いて幅狭状に形成してなる幅狭状張り出し部を設け、前記幅狭状張り出し部にその全体から垂下する幅広状に形成した幅広状片を設け、前記パネル収容枠長辺部材の一方の辺における両端に前記挟持用辺と当該一方の辺の一部とを残して前記幅狭状張り出し部を避けるために形成された切り欠きを設け、前記幅広状片と前記突出片とに前記第１の固着部を設けたものである。
【００２１】
ここで、前記パネル収容枠短辺部材に沿って両端に膨出したコーナ部を有する中間部材が配され、前記幅広状片の縁が前記コーナ部に接近する位置まで張り出して形成されているため、強度を増すだけでなく間隙を無くすことができる。
【００２２】
【発明の実施の形態】
以下、本発明の実施の形態について図面を参照しながら説明する。図１は本発明の実施の形態の一例における液晶表示装置の要部を分解して示す斜視図、図２は図１で示す液晶表示装置の要部における固着状態を示す斜視図、図３は本発明の実施の形態の一例における液晶表示装置の全体的な斜視図、図４は図３で示す液晶表示装置を分解した斜視図である。なお、従来装置と同一部分は説明の便宜上、同一符号を付してその説明を省略する。
【００２３】
８はパネル収容枠２の短辺側を形成するパネル収容枠短辺部材であり、Ｌ型断面の金属板からなる。９はパネル収容枠２の長辺側を形成するパネル収容枠長辺部材であり、同じくＬ型断面の金属板からなる。パネル収容枠短辺部材８のＬ型断面を構成する一方の辺８１には、全長にわたり液晶パネル１の縁部を挟持する挟持用辺８２が形成されている。この一方の辺８１の両端には、液晶パネル１の長辺方向にその縁部から距離を置いて幅狭状に形成して張り出した幅狭状張り出し部８３が設けられている。幅狭状張り出し部８３の液晶パネル１から離れた側の側縁には、その全体から垂下する幅広状に形成した幅広状片８４が設けられている。そして、Ｌ型断面を構成する他方の辺８５は裏面カバー６に至る程度に垂下している。幅広状片８４は図２で示すように固着状態で側縁がコーナ部７１に接近する位置まで張り出して形成されている。また、一方の辺８１の両端には、矩形状ガイド用突起７２が挿入される矩形状開口８６と、円柱状ガイド用突起７３が係合する係合用切り欠き８７とが形成されている。パネル収容枠長辺部材９のＬ型断面を構成する一方の辺９１には、液晶パネル１の縁部を全長にわたり挟持する挟持用辺９２が形成され、Ｌ型断面を構成する他方の辺９３が液晶表示装置の側面を形成するように垂下されている。一方の辺９１の両端には、挟持用辺９２と一方の辺９１の一部とをそのまま残して切り欠いた幅狭状張り出し部８３を避ける切り欠き９４が形成されている。他方の辺９３の両端には、幅広状片８４と重なる突出片９５が形成されている。
【００２４】
幅広状片８４にはタップ孔１３が形成され、突出片９５には貫通孔１４が形成され、これらタップ孔１３、貫通孔１４とネジ１５とによる第１の固着部１６が設けられている。他方の辺８３、一方の辺９１には夫々貫通孔１８が形成され、これら貫通孔１８と裏面カバーのタップ孔１７及びネジ１９とによる第２の固着部が設けられている。
【００２５】
このような構成による液晶表示装置の組み立方法は、まず、図１、図４で示すように裏面カバー６上にバックライト４と拡散板３と液晶パネル１とを順に重ねた上、中間部材７を液晶パネル１の短辺側に沿わせる。そして、パネル収容枠短辺部材８を矢印Ｉで示す方向から液晶パネル１の短辺側に沿わせるが、矩形状開口８６に矩形状ガイド用突起７２を挿入し、係合用切り欠き８７に円柱状ガイド用突起７３を係合させて中間部材７と一体にする。一方、パネル収容枠長辺部材９を矢印ＩＩで示す方法から液晶パネル１の長辺側に沿わせる。その後、幅広状片８４に形成したタップ孔１３と突出片９５に形成した貫通孔１４と、これに挿通して螺合するネジ１５とからなる第１の固着部１６によってパネル収容枠短辺部材８とパネル収容枠長辺部材９とを端で固着して結合する。また、裏面カバー６の縁に形成したタップ孔１７とパネル収納枠短片部材８、パネル収納枠長辺部材９に形成した貫通孔１８とこれに挿通して螺合するネジ１９とからなる第２の固着部２０によってパネル収容枠２と裏面カバー６とを一体に固着する。
【００２６】
このようにして一体に組み立てられた液晶表示装置は、図２で示すように部分Ａには、挟持用辺９２と一方の辺９１の一部とが連続して位置しているので間隙がない。同時に、部分Ｂには、幅広状片８４の縁がコーナ部７１に接するように位置するため間隙が生じない。従って、蛍光ランプ４１を点灯しても液晶表示装置内部の光は液晶パネル１の縁部の外側を通して表面に漏洩することがなく、また、外部から液晶表示装置の内部に塵埃が進入することがない。
【００２７】
なお、本発明は、上記の実施の形態の一例では中間部材７を設けたが、必要に応じてこれを省いてもよい。
【００２８】
【発明の効果】
以上説明した通り、本発明によれば、液晶パネルと、バックライトと、拡散板と、裏面カバーと、Ｌ型断面に形成され一辺に前記液晶パネルの縁部を挟持する挟持用辺を有してなるパネル収容枠短辺部材とパネル収容枠長辺部材とに分割された前記液晶パネルを収容するためのパネル収容枠と、前記バックライトを収納するバックライト収容枠と、前記パネル収容枠短辺部材のＬ型断面を構成する一方の辺における両端より前記液晶パネルの長辺方向に張り出して設けた張り出し部と、前記張り出し部に垂下して設けた片と、前記パネル収容枠長辺部材のＬ型断面を構成する一方の辺における両端に前記張り出し部を避けるために形成された切り欠きと、前記パネル収容枠長辺部材のＬ型断面を構成する他方の辺における両端に前記片と重なるように設けた片と、前記片を重ねた状態で固着して前記パネル収容枠短辺部材と前記パネル収容枠長辺部材とを結合し一体化するための第１の固着部と、前記裏面カバー上に前記バックライトと前記拡散板と前記液晶パネルとを重ねて載置した状態で前記パネル収容枠と当該裏面カバーとを固着するための第２の固着部とを備えた液晶表示装置において、前記パネル収容枠短辺部材の一方の辺における両端より前記液晶パネルの長手方向への張り出しに前記液晶パネルの縁部から距離を置いて幅狭状に形成してなる幅狭状張り出し部を設け、前記幅狭状張り出し部にその全体から垂下する幅広状に形成した幅広状片を設け、前記パネル収容枠長辺部材の一方の辺における両端に前記挟持用辺と当該一方の辺の一部とを残して前記幅狭状張り出し部を避けるために形成された切り欠きを設け、前記幅広状片と前記突出片とに前記第１の固着部を設けたことにより、下記の効果を有する液晶表示装置を提供できる。
【００２９】
第１に、パネル収容枠短辺部材とパネル収容枠長辺部材との結合部分に間隙が生じないため、液晶表示装置内部の光が表面に漏洩することが無くなり利用者にとって画面が見やすくなる。
【００３０】
第２に、間隙が生じないことにより、塵埃が液晶表示装置の内部に侵入して蛍光ランプ、反射板、拡散板などに付着して品質を低下させるということが無くなる。また、塵埃が電気回路部分に付着して故障の発生を生じさせることが無くなる。
【００３１】
第３に、パネル収容枠長辺部材の挟持用辺と一方の辺が液晶パネルの端まで途切れることなく連続的に位置しているため、挟持辺と一方の辺とには全長にわたって一様に応力が加わる。従って、応力が一部分に集中して加わり部分的なところから急激に破損が始まるというような事故を防止できる。このことは、大型の液晶表示装置にあっては、重量が大きいため大きな効果となる。
【００３２】
ここで、前記パネル収容枠短辺部材に沿って両端に膨出したコーナ部を有する中間部材が配され、前記幅広状片の縁が前記コーナ部に接近する位置まで張り出して形成されていることにより、機械的強度の増加のみならず確実に間隙を生じさせないことができる。
【図面の簡単な説明】
【図１】本発明の実施の形態の一例における液晶表示装置の要部の固着前の状態を示す斜視図である。
【図２】図１で示す液晶表示装置の要部における固着状態の斜視図である。
【図３】本発明の実施の形態の一例における液晶表示装置の全体的な斜視図である。
【図４】図３で示す液晶表示装置を分解した斜視図である。
【図５】本出願人が先に開発した液晶表示装置の全体的な斜視図である。
【図６】図５で示す液晶表示装置を分解した斜視図である。
【図７】本出願人が先に開発した液晶表示装置の要部を分解して示す斜視図である。
【図８】図７で示す液晶表示装置の要部における固着状態の斜視図である。
【符号の説明】
１    液晶パネル
２    パネル収容枠
３    拡散板
４    バックライト
５    バックライト収容枠
６    裏面カバー
７    中間部材
８    パネル収容枠短辺部材
９    パネル収容枠長辺部材
１１    ガラス基板
１２    光学シート
１３    タップ孔
１４    貫通孔
１５    ネジ
１６    第１の固着部
１７    タップ孔
１８    貫通孔
１９    ネジ
２０    第２の固着部
８１    一方の辺
８２    挟持用辺
８３    幅狭状張り出し部
８４    幅広状片
８５    他方の片
９１    一方の辺
９２    挟持用辺
９３    他方の辺
９４    切り欠き
９５    突出片
【図１】
2004163514.tif 000003
【図２】
2004163514.tif 000004
【図３】
2004163514.tif 000005
【図４】
2004163514.tif 000006
【図５】
2004163514.tif 000007
【図６】
2004163514.tif 000008
【図７】
2004163514.tif 000009
【図８】
2004163514.tif 000010